(57)【要約】【課題】筆記具の内部の空間を占領することなく、クリップ部材及びそのためのコイルスプリングを取付けることができるクリップ取付構造を提供する。【解決手段】クリップ部材２２とクリップ被取付部材である尾冠２０との間に両者を離反する方向に付勢するコイルスプリング２４が介挿されており、コイルスプリング２４の一端には、尾冠２０の外面に設けられた突起２０ｊが挿入され、コイルスプリング２４の他端はクリップ部材２２の尾冠２０側に向いた面に設けられた凹部２２ｄに挿入される。【選択図】図２
0003139401.tif 000002
【実用新案登録請求の範囲】
【請求項１】
クリップ被取付部材とクリップ部材とを備え、該クリップ部材が前記クリップ被取付部材の連結部において揺動可能に連結される筆記具のクリップ取付構造において、
クリップ部材とクリップ被取付部材との間には両者を離反する方向に付勢するコイルスプリングが介挿されており、コイルスプリングの一端には、クリップ被取付部材の外面に設けられた突起が挿入され、コイルスプリングの他端はクリップ部材のクリップ被取付部材側に向いた面に設けられた凹部に挿入されることを特徴とする筆記具のクリップ取付構造。
【請求項２】
前記クリップ被取付部材の外面に設けられた突起は、クリップ被取付部材の外面に設けられた凹部の中に形成されたものであることを特徴とする請求項１記載の筆記具のクリップ取付構造。
【請求項３】
前記クリップ被取付部材の突起の突出端面と、クリップ被取付部材の凹部周囲の外面とは、ほぼ面一であることを特徴とする請求項２記載の筆記具のクリップ取付構造。
【請求項４】
前記クリップ部材の面に設けられた前記凹部の中には、コイルスプリングの他端内へと挿入される突起が形成されることを特徴とする請求項１ないし３のいずれか１項に記載のクリップ取付構造。
【請求項５】
前記クリップ部材の突起の突出端面と、前記クリップ部材の凹部周囲の面とは、ほぼ面一であることを特徴とする請求項４記載の筆記具のクリップ取付構造。
【請求項６】
前記クリップ部材の面に設けられた前記凹部の周縁部には、それよりも外側にある凹部周囲の面よりも突出する突出縁が形成されることを特徴とする請求項４または５記載のクリップ取付構造。
【請求項７】
前記クリップ被取付部材は、筆記具の後端に設けられる尾冠であることを特徴とする請求項１ないし６のいずれか１項に記載の筆記具のクリップ取付構造。
【考案の詳細な説明】
【技術分野】
【０００１】
本考案は、クリップ被取付部材とクリップ部材とを備え、クリップ部材がクリップ被取付部材の連結部において揺動可能に連結される筆記具のクリップ取付構造に関する。
【背景技術】
【０００２】
従来、この種のクリップ取付構造としては多数の構造のものが知られており、クリップ部材とクリップ被取付部材との間に、両者を離反する方向に付勢するためのコイルスプリングが介挿されたものも多く知られている。例えば、特許文献１記載のものは、外筒の後端部がある程度の肉厚部となっており、この肉厚部に設けた縦孔にクリップ部材の後端部の脚部が離脱しないように装着されており、脚部と縦孔底部との間にコイルスプリングを介在させている。
【０００３】
【特許文献１】実公平５−４５５１７号公報
【考案の開示】
【考案が解決しようとする課題】
【０００４】
しかしながら、特許文献１の構成では、筆記具の後端部にクリップ部材のための肉厚部を設けなければならず、筆記具の内部空間の利用が制約される、という問題がある。
【０００５】
本考案は、かかる課題に鑑みなされたもので、その目的は、筆記具の内部の空間を占領することなく、クリップ部材及びそのためのコイルスプリングを取付けることができるクリップ取付構造を提供することである。
【課題を解決するための手段】
【０００６】
前述した目的を達成するために、請求項１記載の考案は、クリップ被取付部材とクリップ部材とを備え、該クリップ部材が前記クリップ被取付部材の連結部において揺動可能に連結される筆記具のクリップ取付構造において、
クリップ部材とクリップ被取付部材との間には両者を離反する方向に付勢するコイルスプリングが介挿されており、該コイルスプリングの一端には、クリップ被取付部材の外面に設けられた突起が挿入され、コイルスプリングの他端はクリップ部材のクリップ被取付部材側に向いた面に設けられた凹部に挿入されることを特徴とする。
【０００７】
請求項２記載の考案は、請求項１記載の前記クリップ被取付部材の外面に設けられた突起が、クリップ被取付部材の外面に設けられた凹部の中に形成されたものであることを特徴とする。
【０００８】
請求項３記載の考案は、請求項２記載の前記クリップ被取付部材の突起の突出端面と、クリップ被取付部材の凹部周囲の外面とが、ほぼ面一であることを特徴とする。
【０００９】
請求項４記載の考案は、請求項１ないし３のいずれか１項に記載の前記クリップ部材の面に設けられた前記凹部の中に、コイルスプリングの他端内へと挿入される突起が形成されることを特徴とする。
【００１０】
請求項５記載の考案は、請求項４記載の前記クリップ部材の突起の突出端面と、前記クリップ部材の凹部周囲の面とは、ほぼ面一であることを特徴とする。
【００１１】
請求項６記載の考案は、請求項４または５記載の前記クリップ部材の面に設けられた凹部の周縁部に、それよりも外側にある凹部周囲の面よりも突出する突出縁が形成されることを特徴とする。
【００１２】
請求項７記載の考案は、請求項１ないし６のいずれか１項に記載のものにおいて、前記クリップ被取付部材が、筆記具の後端に設けられる尾冠であることを特徴とする。
【考案の効果】
【００１３】
本考案によれば、コイルスプリングの一端にクリップ被取付部材の外面に設けられた突起が挿入され、コイルスプリングの他端はクリップ部材のクリップ被取付部材側に向いた面に設けられた凹部に挿入されるために、コイルスプリングは筆記具の内部に設けることなく、クリップ被取付部材の外面側に且つクリップ被取付部材とクリップ部材との間に配置することができ、筆記具内部の空間を、例えば筆記体本体のために有効利用することができる。その場合であっても、クリップ被取付部材の外面に設けられた突起とクリップ部材に設けられた凹部とによって、コイルスプリングの両端が拘束されるために、コイルスプリングの脱落を防ぐことができる。
【００１４】
請求項２記載の考案によれば、突起を凹部の中に形成することにより、コイルスプリングの脱落を防ぎつつ、突起のクリップ被取付部材の外面からの突出高さを低くすることができて、クリップ部材の揺動ストロークを大きくとることができ、また、材料コストを低減させることができる。
【００１５】
請求項３記載の考案によれば、突起の突出端面と、凹部周囲のクリップ被取付部材の外面とをほぼ面一とすることによって、突起のクリップ被取付部材の外面からの突出高さをほぼゼロとすることができて、クリップ部材の揺動ストロークを大きくとることができ、また、材料コストを低減させることができる。
【００１６】
請求項４記載の考案によれば、前記クリップ部材の面に設けられた凹部の中に、コイルスプリングの他端内へと挿入される突起を形成することによって、コイルスプリングの他端がより一層確実に拘束されるために、コイルスプリングの脱落を防ぐことができる。
【００１７】
請求項５記載の考案によれば、前記クリップ部材の突起の突出端面と、前記クリップ部材の面に設けられた凹部周囲の外面とをほぼ面一とすることによって、突起のクリップ部材の面からの突出高さをほぼゼロとすることができて、クリップ部材の揺動ストロークを大きくとることができ、また、材料コストを低減させることができる。さらには、コイルスプリングの組立を簡単に行うことができるようになる。
【００１８】
請求項６記載の考案によれば、クリップ部材の面に設けられた凹部の外縁部にそれよりも外側にある凹部周囲の外面よりも突出する突出縁を形成することによって、コイルスプリングの他端がより一層確実に拘束されるために、コイルスプリングの脱落を防ぐことができる。
【００１９】
請求項７記載の考案によれば、クリップ被取付部材として尾冠とすることによって、クリップ被取付部材の損傷または欠陥の場合にも尾冠の交換だけでよく、低コストに製造することができる。
【考案を実施するための最良の形態】
【００２０】
以下、図面を用いて本考案の実施の形態を説明する。尚、本考案は下記実施形態に限定されるものではない。
【００２１】
図１は本考案の筆記具のクリップ取付構造が実現された筆記具の全体を表す縦断面図である。この例の筆記具１０は、シャープペンシルであるが、これに限るものではなく、ボールペンといった任意の筆記具に適用することができる。そして、筆記具１０は、外筒１２と、外筒１２の先端に螺着される先具１４と、先筒１２の前部の周囲に設けられる筒状弾性グリップ１６と、外筒１２内に配設される筆記体本体である芯繰り出し機構１８を備える。芯繰り出し機構１８は公知の任意の構成を適用可能であり、その説明を省略する。
【００２２】
外筒１２の後端には筆記具１０の後端部を構成するクリップ被取付部材としての尾冠２０が取付けられる。この外筒１２と尾冠２０との取り付けは、図５に示すようにして行われる。外筒１２には取付孔１２ａが穿設されており、該取付孔１２ａに整合して、外筒１２の内部にはガイド溝１２ｂが形成されると共に、外筒１２の後端には切欠部１２ｃが形成されている。一方、尾冠２０は、大まかに、本体２０ａと、本体２０ａよりも前方に延びて外筒１２内に挿入される小径部２０ｂとを有している。小径部２０ｂには、コ字状のスリット２０ｃに囲まれた弾性変形可能な弾性片２０ｄが形成されると共に弾性片２０ｄの外面に取付突起２０ｅが形成されている。また、本体２０ａと小径部２０ｂとの境界部には軸方向に突出する突出部２０ｆが形成されている。
【００２３】
尾冠２０の小径部２０ｂが外筒１２に挿入されると、弾性片２０ｄが内方へと撓みながらガイド溝１２ｂを摺動し、そして、取付孔１２ａに達すると、弾性片２０ｄの復元力によって取付突起２０ｅが取付孔１２ａに係合して、尾冠２０と外筒１２が結合される。同時に、尾冠２０の突出部２０ｆが外筒１２の切欠部１２ｃに嵌合する。こうして、尾冠２０を外筒１２に簡単に取り付けることができる。また、取付突起２０ｅ及び弾性片２０ｄを内方に押し込みながら尾冠２０を引き抜くことで、簡単に尾冠２０を外筒１２から取り外すこともできる。尾冠２０が外筒１２に取り付けられた状態において、筆記体本体の一部である芯タンク１９が尾冠２０をほぼ貫通しており、そして、芯タンク１９の後端に装着された消しゴム２１が尾冠２０の後端から突出している。
【００２４】
尾冠２０の本体２０ａには、クリップ部材２２を連結するための連結部２０ｇが形成され、連結部２０ｇは一対の円柱軸部２０ｈ、２０ｈからなる。また、連結部２０ｇよりも後方の部分に、尾冠２０の外面よりも凹んだ凹部２０ｉが形成され、該凹部２０ｉの中央部分には突起２０ｊが形成されている。好ましくは、突起２０ｊの突出高さは、尾冠２０の凹部２０ｉの周囲の外面の高さとほぼ同じであるとよく、即ち、突起２０ｊの突出端面と、凹部２０ｉの周囲の尾冠の外面は、ほぼ面一となっているとよい（図２参照）。
【００２５】
クリップ部材２２は、大まかに、クリップ板部２２ａと、クリップ板部２２ａの両側縁からそれぞれ外筒１２の方に向かって延設されるクリップ側板部２２ｂとを有している。各クリップ側板部２２ｂの内側には、前記各円柱軸部２０ｈを受ける受部２２ｃが形成される。また、クリップ板部２２ａの内面には、受部２２ｃよりも後方の位置において、凹部２２ｄが形成される。
【００２６】
クリップ部材２２の受部２２ｃに、対応する尾冠２０の円柱軸部２０ｈが嵌合することで、クリップ部材２２が、尾冠２０に対して揺動可能に連結され、外筒１２の軸方向に沿って外筒１２の外側に配設される。連結された状態でクリップ部材２２のクリップ板部２２ａは、外筒１２の取付孔１２ａを隠す。
【００２７】
常時はクリップ部材２２の先端を外筒１２の外面に押し付けてこれによって両者の間に挟着力が発生するようにするために、クリップ部材２２と尾冠２０との間にはコイルスプリング２４が介挿されている。コイルスプリング２４は、連結部２０ｇよりも後方に配置されて、尾冠２０とクリップ部材２２を離反する方向に付勢する。
【００２８】
コイルスプリング２４は、図２及び図３に示したように、コイルスプリング２４の一端に尾冠２０の突起２０ｊが挿入され、コイルスプリング２４の他端がクリップ部材２２の凹部２２ｄに挿入されることで、尾冠２０とクリップ部材２２との間に配置される。こうして、コイルスプリング２４の両端が拘束されることで、コイルスプリング２４の脱落を阻止することができる。また、突起２０ｊを凹部２０ｉの中に形成することにより、突起２０ｊの尾冠２０の外面からの突出高さを低くすることができる。
【００２９】
以上のように構成されるクリップ取付構造においては、コイルスプリング２４によって常時は、クリップ部材２２の先端が外筒１２に押し付けられる方向へと付勢されている。そして、クリップ部材２２と外筒１２との間に物を挟む場合には、クリップ部材２２の後端を押した後解放すると、コイルスプリング２４の付勢力に抗してクリップ部材２２が揺動し、クリップ部材２２の先端と外筒１２との間が開くために、その間に物を挿入して、両者によって物を挟み付けることができる。
【００３０】
クリップ部材２２が揺動する際に、突起２０ｊの高さは低く抑えられているために、その揺動の障害になることはなく、クリップ部材２２の揺動ストロークを大きくとることができる。特に、突起２０ｊの突出端面と、凹部２０ｉ周囲の尾冠２０の外面とをほぼ面一とすることによって、突起２０ｊのクリップ被取付部材の外面からの突出高さをほぼゼロとすることができて、クリップ部材の揺動ストロークを一層大きくとることができ、また、材料コストを低減させることができる。
【００３１】
このようにして、コイルスプリング２４が外筒１２及び尾冠２０の外側に配設されるために、外筒１２及び尾冠２０の内部空間を有効利用することができ、この場合には、芯タンク１９が尾冠２０を貫通して配設されるために、芯タンク１９の長さを大きく確保することができると共に芯タンク１９への芯の補充を筆記具１０の後方から行うことができる。
【００３２】
図６は、他の実施形態を表す図２相当図である。この例では、クリップ部材２２の内面に凹部２２ｄが形成されると共に、凹部２２ｄの中には、突起２２ｅが形成されている。好ましくは、突起２２ｅの突出高さは、クリップ部材２２の凹部２２ｄの周囲の外面の高さとほぼ同じであるとよく、即ち、突起２２ｅの突出端面と凹部２２ｄの周囲の面はほぼ面一となっている。但し、凹部２２ｄの周縁部には、凹部２２ｄの周囲の面よりも突出する突出縁２２ｆが形成される。突出縁２２ｆは凹部２２ｄの周縁部全体に亘り環状に形成されるとよい。
【００３３】
コイルスプリング２４の他端はクリップ部材２２の凹部２２ｄに挿入されると同時に、該凹部２２ｄの中の突起２２ｅがコイルスプリング２４の他端内に挿入される。また、突出縁２２ｄがコイルスプリング２４の他端の周囲を包囲する。この構成によって、コイルスプリング２４の他端の拘束が一層図られ、コイルスプリング２４の脱落を一層確実に阻止することができる。その場合でも、突起２２ｅのクリップ部材２２の面からの突出高さを低くすることができるので、コイルスプリング２４の組立を簡単に行うことができる。
突起２２ｅはその断面形状が図６において上底が下底よりも長い台形形状をなしているが、成形上可能な範囲で、下底が上底よりも長い台形形状となったアンダーカット形状とすることもでき、その場合には、コイルスプリング２４の脱落を突起２２ｅによって一層確実に阻止することができる。
【図面の簡単な説明】
【００３４】
【図１】本考案の筆記具のクリップ取付構造が実現された筆記具の全体を表す縦断面図である。
【図２】クリップ取付構造の要部拡大断面図である。
【図３】図２の３−３線に沿って見た断面図である。
【図４】クリップ部材が揺動したときの部分縦断面図である。
【図５】図１の外筒と尾冠との結合構造を示す部分分解平面図である。
【図６】本考案の他の実施形態を表す図２相当図である。
【符号の説明】
【００３５】
１０  筆記具
１２  外筒
２０  尾冠（クリップ被取付部材）
２０ｉ  凹部
２０ｊ  突起
２２  クリップ部材
２２ｄ  凹部
２２ｅ  突起
２２ｆ  突出縁
２４  コイルスプリング
【図１】
0003139401.tif 000003
【図２】
0003139401.tif 000004
【図３】
0003139401.tif 000005
【図４】
0003139401.tif 000006
【図５】
0003139401.tif 000007
【図６】
0003139401.tif 000008